(57)【要約】【課題】  本発明は、検出手段の検出範囲を変更できるようにする。【解決手段】  本発明は、開閉状態検出装置２１において、検出範囲変更部３０の第２アーム部３０Ｇに設けられた被押圧部３０Ｈがカバー部３の検出子８によって押下された状態では、第１アーム部３０Ｃ及び第２アーム部３０Ｇのばね力の差により、第１アーム部３０Ｃのレバー当接部３０Ｄによって検出スイッチ１０の検出レバー１２が押下され、ストッパ部３０Ｅにより検出子８の押下量が制限された後の状態では第２アーム部３０Ｇだけを撓ませることにより、検出スイッチ１０の検出範囲を変更することができる。【選択図】        図６
2006053957.tif 000002
【特許請求の範囲】
【請求項１】
第１筐体と第２筐体との開閉状態を検出する開閉状態検出装置であって、
上記第２筐体を介して検出子が押下されているとき閉状態を検出し、上記第２筐体を介して上記検出子が押下されていないとき開状態を検出する検出手段と、
上記第２筐体の閉動作に連動して当該検出子を押下するための当接部位が上記検出子を覆うように形成された第１のばね力を有する第１腕部と、当該第１腕部と一体化され上記検出子に対する押下量を制限するストッパ部と、当該第１腕部と一体化され上記第２筐体の押当部によって押下されるべき被押当部が形成された第２のばね力を有する第２腕部とが設けられた検出子押下手段と
を具え、
上記第２腕部の上記被押当部が上記第２筐体の押当部によって押下され、上記ストッパ部により上記検出子の押下が制限されるまでの状態では、上記第１のばね力と上記第２のばね力との差により当該第１腕部の上記当接部位だけで上記検出子を押下し、上記ストッパ部により上記検出子の押下が制限された後の状態では上記第２腕部だけを可撓させることにより上記検出子による検出範囲を当該第２腕部の撓みによって擬似的に変更する
ことを特徴とする開閉状態検出装置。
【請求項２】
上記検出子押下手段は、
上記第１腕部と上記第２腕部とを略一直線状に配置した
ことを特徴とする請求項１に記載の開閉状態検出装置。
【請求項３】
上記検出子押下手段は、
上記第２腕部から分岐した位置に上記第１腕部を設けた
ことを特徴とする請求項１に記載の開閉状態検出装置。
【請求項４】
第１筐体と第２筐体との開閉状態を検出する開閉状態検出装置を有する電子機器であって、
上記第２筐体を介して検出子が押下されているとき閉状態を検出し、上記第２筐体を介して上記検出子が押下されていないとき開状態を検出する検出手段と、
上記第２筐体の閉動作に連動して当該検出子を押下するための当接部位が上記検出子を覆うように形成された第１のばね力を有する第１腕部と、当該第１腕部と一体化され上記検出子に対する押下量を制限するストッパ部と、当該第１腕部と一体化され上記第２筐体の押当部によって押下されるべき被押当部が形成された第２のばね力を有する第２腕部とが設けられた検出子押下手段と
を具え、
上記第２腕部の上記被押当部が上記第２筐体の押当部によって押下され、上記ストッパ部により上記検出子の押下が制限されるまでの状態では、上記第１のばね力と上記第２のばね力との差により当該第１腕部の上記当接部位だけで上記検出子を押下し、上記ストッパ部により上記検出子の押下が制限された後の状態では上記第２腕部だけを可撓させることにより上記検出子による検出範囲を当該第２腕部の撓みによって擬似的に変更する
ことを特徴とする電子機器。
【発明の詳細な説明】
【技術分野】
【０００１】
本発明は開閉状態検出装置及び電子機器に関し、例えばミニディスクを再生可能な携帯型ディスク装置に適用して好適なものである。
【背景技術】
【０００２】
従来、携帯型ディスク装置においては、直径６４［ｍｍ］のディスク状記録媒体をカートリッジに収納したミニディスクカートリッジを装填し、当該ミニディスクカートリッジに記録されている楽曲の再生等を行い得るようになされている。
【０００３】
図１４に示すように、携帯型ディスク装置１は、本体部２に対してカバー部３が回動自在に軸支されており、ミニディスクカートリッジ（図示せず）を装填又は排出する際、カバー部３を閉じた閉状態（図示せず）から当該カバー部３を所定角度だけ開いた開状態まで当該カバー部３を回動させるようになされている。
【０００４】
ところで、この携帯型ディスク装置１は、無駄な電力消費を抑えるために、カバー部３が開かれている開状態においてユーザにより再生ボタンが誤って押下された場合でも、スピンドルモータ（図示せず）の回転や光学ピックアップ（図示せず）からのレーザ光の照射を行わないことが望ましい。
【０００５】
このため携帯型ディスク装置１のなかには、本体部２に内蔵する基板９に検出スイッチ１０を設けると共にカバー部３に押圧子８を設け、当該検出スイッチ１０によってカバー部３の開閉状態を検出するようになされたものがある。
【０００６】
この携帯型ディスク装置１は、カバー部３の押圧子８によって検出スイッチ１０の検出レバー１２が押下されている場合、当該カバー部３が閉じられた閉状態にあると検出し、また当該押圧子８によって当該検出レバー１２が押下されていない場合、当該カバー部３が開かれた開状態にあると検出するようになされている。
【０００７】
このような携帯型ディスク装置１は、検出スイッチ１０によってカバー部３が開状態にあることを検出している状態では、スピンドルモータを回転させず、また光学ピックアップからレーザ光を照射しないようになされており、さらには電源を切断するようになされたものもある（例えば、特許文献１参照）。
【特許文献１】特開２００２−２８８９７６公報（第２頁、第８図）
【発明の開示】
【発明が解決しようとする課題】
【０００８】
ところで携帯型ディスク装置１は、通常は本体に内蔵する充電池を電源として用いるようになされているが、外付けの乾電池ケース２００を本体部２の乾電池ケース取付部７に取り付けることにより、当該乾電池ケース２００に収納した乾電池（図示せず）を補助電源として利用し得るようになされたものがある。
【０００９】
また、かかる構成の携帯型ディスク装置１は、ユーザに携帯されることが多く、例えば非常に混雑した電車内等において使用される場合がある。
【００１０】
例えば図１５に示すように、携帯型ディスク装置１は、外部から乾電池ケース２００に対して矢印ｒ１方向及びｒ２方向の（すなわち捻り方向の）力が加えられた場合、当該乾電池ケース２００が取り付けられた本体部２が歪んでしまい、当該本体部２とカバー部３との間に隙間が生じてしまう。
【００１１】
ここで検出スイッチ１０は、携帯型ディスク装置１の携帯性を損なうことがないように、小型軽量のものが用いられるようになされており、図１６に示すように、オン状態の検出範囲（すなわちカバー部３が閉状態であると検出する範囲）が上下方向に１．２[ｍｍ]となっている。
【００１２】
すなわち携帯型ディスク装置１は、カバー部３と本体部２との隙間が１．２［ｍｍ］以下であれば、カバー部３の押圧子８によって検出スイッチ１０の検出レバー１２が押下されることにより、当該カバー部３が閉状態にあると検出するものの、当該カバー部３と当該本体部２との隙間が１．２［ｍｍ］より僅かに大きく開いただけで、検出レバー１２がオン状態の検出範囲から外れることにより、当該カバー部３が開状態にあると検出してしまう。
【００１３】
このため携帯型ディスク装置１は、本体部２が歪んで当該本体部２とカバー部３との間に隙間が生じてしまった場合、検出スイッチ１０によって当該カバー部３が開状態にあると検出してしまい、電源を遮断して再生中の楽曲を突然停止してしまう。このとき携帯型ディスク装置１は、継続して楽曲を聴取したいユーザに不快感を与えてしまう可能性が高く、そのうえ楽曲の再生を再開するために当該ユーザに再度再生操作を強いることになるという問題があった。
【００１４】
本発明は以上の点を考慮してなされたもので、検出手段の検出範囲を変更し得る検出範囲変更装置及び当該検出範囲変更装置を搭載することにより開閉状態の検出基準を変更し得る電子機器を提案しようとするものである。
【課題を解決するための手段】
【００１５】
かかる課題を解決するため本発明の検出範囲調整装置においては、第１筐体と第２筐体との開閉状態を検出する開閉状態検出装置であって、第２筐体を介して検出子が押下されているとき閉状態を検出し、第２筐体を介して検出子が押下されていないとき開状態を検出する検出手段と、第２筐体の閉動作に連動して当該検出子を押下するための当接部位が検出子を覆うように形成された第１のばね力を有する第１腕部と、当該第１腕部と一体化され検出子に対する押下量を制限するストッパ部と、当該第１腕部と一体化され第２筐体の押当部によって押下されるべき被押圧部が形成された第２のばね力を有する第２腕部とが設けられた検出子押下手段とを設け、第２腕部の被押当部が第２筐体の押当部によって押下され、ストッパ部により検出子の押下が制限されるまでの状態では、第１のばね力と第２のばね力との差により当該第１腕部の当接部位だけで検出子を押下し、ストッパ部により検出子の押下が制限された後の状態では第２腕部だけを可撓させることにより検出子による検出範囲を当該第２腕部の撓みによって擬似的に変更するようにした。
【００１６】
これにより、第１筐体と第２筐体との閉状態の検出範囲を擬似的に拡大することができる。
【００１７】
また本発明の電子機器においては、第１筐体と第２筐体との開閉状態を検出する開閉状態検出装置を有する電子機器であって、第２筐体を介して検出子が押下されているとき閉状態を検出し、第２筐体を介して検出子が押下されていないとき開状態を検出する検出手段と、第２筐体の閉動作に連動して当該検出子を押下するための当接部位が検出子を覆うように形成された第１のばね力を有する第１腕部と、当該第１腕部と一体化され検出子に対する押下量を制限するストッパ部と、当該第１腕部と一体化され第２筐体の押当部によって押下されるべき被押当部が形成された第２のばね力を有する第２腕部とが設けられた検出子押下手段とを設け、第２腕部の被押当部が第２筐体の押当部によって押下され、ストッパ部により検出子の押下が制限されるまでの状態では、第１のばね力と第２のばね力との差により当該第１腕部の当接部位だけで検出子を押下し、ストッパ部により検出子の押下が制限された後の状態では第２腕部だけを可撓させることにより検出子による検出範囲を当該第２腕部の撓みによって擬似的に変更するようにした。
【００１８】
これにより、第１筐体と第２筐体との閉状態の検出範囲を擬似的に拡大することができる。
【発明の効果】
【００１９】
本発明によれば、第１筐体と第２筐体との閉状態の検出範囲を擬似的に拡大することができ、かくして検出手段の検出範囲を変更し得る検出手段の検出範囲調整装置及び当該検出手段の検出範囲調整装置を搭載することにより開閉状態の検出基準を変更し得る電子機器を実現できる。
【発明を実施するための最良の形態】
【００２０】
以下、図面について、本発明の一実施の形態を詳述する。
【００２１】
（１）第１の実施の形態
（１−１）携帯型ディスク装置の構成
図１において２０は第１の実施の形態による検出範囲調整装置２１を有する携帯型ディスク装置の全体構成を示しており、直径６４［ｍｍ］のディスク状記録媒体を収納したミニディスク方式のディスクカートリッジ１００を装填対象とし、当該ディスクカートリッジ内のディスク状記録媒体に対して楽曲を記録したり、当該ディスク状記録媒体から読み出した楽曲を再生するようになされている。
【００２２】
この携帯型ディスク装置２０は、第１筐体としての本体部２と、当該本体部２の後端部を支点として回動自在に支持された第２筐体としてのカバー部３とによって構成され、ディスクカートリッジ１００の挿入時又は排出時にはカバー部３を本体部２から所定角度まで開放し、楽曲の記録時又は再生時には本体部２をカバー部３によって閉塞するようになされている。
【００２３】
本体部２は、カバー部３を閉状態にロックするロック爪４、当該ロック爪４をスライドさせて当該カバー部３を閉状態から所定角度の開状態まで回動させるためのオープンスライダ５、ヘッドフォンジャック６及び乾電池ケース取付部７がその周側面に設けられている。なお本体部２には、図示しないが再生動作、記録動作、音量調整等の各種操作ボタンについても、他の周側面に設けられている。
【００２４】
ちなみに携帯型ディスク装置２０は、内蔵する充電池（図示せず）を電源として動作するようになされているが、乾電池ケース取付部７に乾電池ケース２００（図１４）を取り付けることにより、乾電池（図示せず）を補助電源として使用することもできるようになされている。
【００２５】
なお携帯型ディスク装置２０においては、ディスクカートリッジ１００を挿入する方向を後方向とし、ディスクカートリッジ１００を排出する方向を前方向と定義すると共に、オープンスライダ５が設けられた前面側にユーザが対峙した状態において右方向及び左方向を定義した上で以下説明する。
【００２６】
かかる構成に加えて、本体部２には、内蔵する基板９の右前側にカバー部３の開閉状態を検出するための開閉状態検出装置２１が取り付けられ、これと対応するようにカバー部３の右前側には、当該開閉状態検出装置２１を押圧することにより当該カバー部３の開閉状態を検出させる押当部としての押圧子８が設けられている。
【００２７】
携帯型ディスク装置２０は、開閉状態検出装置２１によって本体部２に対するカバー部３の開閉状態を検出するようになされており、当該カバー部３が開放された開状態であることを検出すると、図示しない駆動モータや再生処理回路等への電源供給を遮断することによって無駄な電力消費を抑え得るようになされている。
【００２８】
このため携帯型ディスク装置２０は、仮にディスクカートリッジ１００内のディスク状記録媒体に記録された楽曲を再生中であっても、ユーザの誤操作等によりカバー部３が開放されると、開閉状態検出装置２１により開状態であることを検出し、駆動モータや再生処理回路等への電源供給を遮断して楽曲の再生を停止するようになされている。
【００２９】
（１−２）開閉状態検出部の構成
図２及び図３に示すように、開閉状態検出装置２１は、検出子押下手段としての検出範囲変更部３０と検出手段としての検出スイッチ１０とによって構成されている。
【００３０】
検出スイッチ１０は、スイッチ本体部１１に対して検出子としての検出レバー１２が回動軸１２Ａを中心として所定の回動範囲内を回動自在に組み込まれており、当該スイッチ本体部１１に対する当該検出レバー１２の角度に応じてオン状態又はオフ状態のいずれかを検出するようになされている。
【００３１】
この検出スイッチ１０は、図４（Ａ）にスイッチ本体部１１の内部構成を示すように、金属製の接点ばね１４の付勢力によってカム１３を常時右方向に付勢させており、さらにこの付勢力を当該カム１３から検出レバー１２に伝えることによって、当該検出レバー１２を回動範囲内の最も上方向を向いた状態に常時付勢させるようになされている。
【００３２】
また検出スイッチ１０は、検出レバー１２が下方向へ押し下げられることによって、カム１３を介して接点ばね１４の可動部分を撓ませて左方向に付勢させ（図中に破線で示す）、当該接点ばね１４を接点１５に接触させてオン状態とする。
【００３３】
ちなみに検出スイッチ１０は、図４（Ｂ）に示すように、検出レバー１２が検出上限ａと検出下限ｂ（共に図中に破線で示す）との間を向いている場合をオン状態として検出するようになされており、当該検出上限ａと当該検出下限ｂとの間における上下方向の距離（以下、これをオン状態検出範囲と呼ぶ）は１．２［ｍｍ］となるようになされている。また検出スイッチ１０は、検出レバー１２が検出上限ａよりも上側を向いている場合をオフ状態として検出する。
【００３４】
そして携帯型ディスク装置２０は、この検出スイッチ１０によってオン状態を検出した場合には、本体部２に対してカバー部３が閉じている閉状態にあると認識し、一方オフ状態を検出した場合には、本体部２に対してカバー部３が開いている開状態にあると認識するようになされている。
【００３５】
一方、検出範囲変更部３０（図２）は、金属製の略Ｔ字状の板状材料が所定形状に折り曲げられることによって形成されており、当該検出範囲変更部３０を基板９に取付固定するための、前後方向に広がりを有する基板取付部３０Ａと、当該基板取付部３０Ａから突出した所定長さのアーム部３０Ｒとを有している。
【００３６】
当該アーム部３０Ｒは、第１腕部としての第１アーム部３０Ｃと第２腕部としての第２アーム部３０Ｇとに大きく分けられている。第１アーム部３０Ｃは、略半円弧状に湾曲した第１支点部３０Ｂを介して基板取付部３０Ａに対して回動されるようになされており、当該第１支点部３０Ｂの反対側には、下向きの略半円弧状に形成されて検出スイッチ１０の検出レバー１２と当接する当接部位としてのレバー当接部３０Ｄを有し、さらに当該レバー当接部３０Ｄに隣接して、側面略Ｕ字状に形成されて下端部が基板９に当接し得るようになされたストッパ部３０Ｅを有している。
【００３７】
第２アーム部３０Ｇは、第２支点部３０Ｆを介してストッパ部３０Ｅに対して可撓されるようになされており、当該第２支点部３０Ｆにおいて、当該第２アーム部３０Ｇが第１アーム部３０Ｃに対して上向きとなる所定角度をなして折り曲げられている。また第２アーム部３０Ｇは、その先端に、上向きの略半円弧状に形成されカバー部３の押圧子８（図１）に押圧される被押当部としての被押圧部３０Ｈを有している。
【００３８】
ここで検出範囲変更部３０は、第１支点部３０Ｂを支点として、第１アーム部３０Ｃのばね力により基板取付部３０Ａに対してアーム部３０Ｒ全体を回動させ得、また第２支点部３０Ｆを支点として、第２アーム部３０Ｇのばね力により第１アーム部３０Ｃに対して当該第２アーム部３０Ｇを可撓させ得るようになされているが、当該第１アーム部３０Ｃのばね力よりも当該第２アーム部３０Ｇのばね力が強くなるようになされている。
【００３９】
このため検出範囲変更部６０は、カバー部３の押圧子８によって被押圧部３０Ｈが下方向へ押圧された場合、まず比較的ばね力が小さい、すなわち比較的小さい力で回動させ得る第１アーム部３０Ｃにより第１支点部３０Ｂを支点としてアーム部３０Ｒ全体を下方向へ押し下げ、ストッパ部３０Ｅの下端部を基板９に当接させる。そして検出範囲変更部３０は、被押圧部３０Ｈがさらに下方向に押圧された場合、当該ストッパ部３０Ｅの作用によりアーム部３０Ｒ全体を動かすことができないため、第２アーム部３０Ｇのばね力により第２支点部３０Ｆを支点として当該第２アーム部３０Ｇのみを下方向へ押し下げるようになされている。
【００４０】
そして、検出スイッチ１０は、スイッチ本体部１１が基板９上の所定位置に取付固定され、また検出範囲変更部３０は、第１アーム部３０Ｃが当該検出スイッチ１０の真上を覆うように当該基板９上の所定位置に基板取付部３０Ａが取付固定される。これにより開閉状態検出装置２１は、携帯型ディスク装置２０内の所定位置に設けられるようになされている（図１）。
【００４１】
（１−３）開閉状態検出装置の状態変化
開閉状態検出装置２１（図２）は、カバー部３の押圧子８（図１）による被押圧部３０Ｈへの押圧状態に応じて検出スイッチ１０の検出レバー１２を下方向へ押し下げることにより、当該カバー部３が開状態であるのか、又は閉状態であるのかを検出するようになされている。以下では、携帯型ディスク装置２０が全開状態から全閉状態に至るまでの過程について、４段階に分けて順に説明する。
【００４２】
（１−３−１）全開状態
図５（Ａ）に示すように、携帯型ディスク装置２０の本体部２に対してカバー部３が完全に開いた全開状態において、開閉状態検出装置２１は、図６（Ａ）に示すように、検出範囲変更部３０の被押圧部３０Ｈが押圧子８から完全に隔離した状態にある。
【００４３】
このとき検出範囲変更部３０は、他から力を加えられていない自然状態にあり、レバー当接部３０Ｄが検出スイッチ１０の検出レバー１２から完全に離れている。このため検出スイッチ１０は、検出レバー１２が可動範囲内の最も上方向を向いた状態にあり、すなわち当該検出レバー１２が検出上限ａ（破線で示す）よりも上側へ向けられているため、オフ状態を検出する。
【００４４】
これにより開閉状態検出装置２１は開状態であることを検出し、これに応じて携帯型ディスク装置２０は、駆動モータや再生処理回路等への電源供給を遮断した状態を維持している。
【００４５】
（１−３−２）開検出状態
図５（Ｂ）に示すように、携帯型ディスク装置２０の本体部２に対してカバー部３が全開状態から僅かに閉じられた状態において、開閉状態検出装置２１は、図６（Ｂ）に示すように、押圧子８により被押圧部３０Ｈが下方向に僅かに押し下げられている。
【００４６】
ここで検出範囲変更部３０は、押圧子８によって被押圧部３０Ｈが下方向へ僅かに押し下げられるため、ばね力が比較的弱い第１アーム部３０Ｃにより第１支点部３０Ｂを支点としてアーム部３０Ｒ全体を下方向へ押し下げ、レバー当接部３０Ｄによって検出スイッチ１０の検出レバー１２を下方向へ僅かに押し下げる。
【００４７】
このとき検出スイッチ１０は、検出レバー１２が僅かに下方向へ押し下げられているものの、当該検出レバー１２が検出上限ａ（破線で示す）よりも上側へ向けられているため、オフ状態を検出する。
【００４８】
これにより開閉状態検出装置２１はカバー部３が開状態であることを検出し、これに応じて携帯型ディスク装置２０は、全開状態（図５（Ａ））と同様に、駆動モータや再生処理回路等への電源供給を遮断し続ける。なお、このようにカバー部３が全開状態から僅かに閉じているものの（図５（Ｂ））、開閉状態検出装置２１が開状態であることを検出している状態を開検出状態と呼ぶ。
【００４９】
（１−３−３）閉検出状態
図５（Ｃ）に示すように、携帯型ディスク装置２０の本体部２に対してカバー部３が全開状態からある程度閉じられて僅かに隙間が生じた状態において、開閉状態検出装置２１は、図６（Ｃ）に示すように、押圧子８により被押圧部３０Ｈが下方向へ押し下げられている。
【００５０】
検出範囲変更部３０は、押圧子８によって被押圧部３０Ｈが開検出状態（図６（Ｂ））よりも下方向へ押し下げられているため、ばね力が比較的弱い第１アーム部３０Ｃにより第１支点部３０Ｂを支点としてアーム部３０Ｒ全体をさらに下方向へ押し下げ、このときレバー当接部３０Ｄによって検出スイッチ１０の検出レバー１２をさらに下方向へ押し下げる。そのうえ検出範囲変更部３０は、ストッパ部３０Ｅを基板９に当接させる。
【００５１】
このとき検出スイッチ１０は、検出レバー１２が検出上限ａ（破線で示す）よりも下側に押し下げられているため、オン状態を検出する。
【００５２】
これにより開閉状態検出装置２１は、カバー部３が僅かに開いているものの、閉状態であると検出する。これ応じて携帯型ディスク装置２０は、駆動モータや再生処理回路等への電源供給を開始する。なお、このようにカバー部３が全開状態からある程度閉じられて僅かに隙間が生じており（図５（Ｃ））、開閉状態検出装置２１が閉状態であると検出している状態を閉検出状態と呼ぶ。
【００５３】
ちなみに検出範囲変更部３０は、ストッパ部３０Ｅを基板９に当接させることにより、レバー当接部３０Ｄによって検出レバー１２を下方向へこれ以上押し下げないように制限しており、その結果、検出スイッチ１０の破損を未然に防止するようになされている。
【００５４】
（１−３−４）全閉状態
図５（Ｄ）に示すように、携帯型ディスク装置２０の本体部２に対してカバー部３が完全に閉じた全閉状態において、開閉状態検出装置２１は、図６（Ｄ）に示すように、押圧子８により被押圧部３０Ｈが下方向へ押し下げられている。
【００５５】
検出範囲変更部３０は、押圧子８によって被押圧部３０Ｈが閉検出状態（図６（Ｃ））の場合よりも下方向へ押し下げられているものの、ストッパ部３０Ｅが既に基板９に当接しているために第１アーム部がこれ以上押し下げられることがなく、ばね力が比較的強い第２アーム部３０Ｇにより第２支点部３０Ｆを支点として当該第２アーム部３０Ｇのみを下方向へ押し下げる。従って検出範囲変更部３０は、閉検出状態（図６（Ｃ））と同様の、レバー当接部３０Ｄによって検出レバー１２を下方向へ押し下げた状態を維持している。
【００５６】
このとき検出スイッチ１０は、閉検出状態（図６（Ｃ））と同様に、検出レバー１２が検出上限ａ（破線で示す）よりも下側へ押し下げられているため、オン状態を検出する。
【００５７】
これにより開閉状態検出装置２１はカバー部３が閉状態であることを検出し、これに応じて携帯型ディスク装置２０は駆動モータや再生処理回路等への電源供給を継続する。
【００５８】
（１−４）閉状態の検出
ところで携帯型ディスク装置２０において、本体部２に対してカバー部３が全閉状態（図５（Ｄ））から徐々に開かれていった場合、開閉状態検出装置２１は、図６（Ｄ）の全閉状態から図６（Ｃ）の閉検出状態を経て図６（Ｂ）の開検出状態へと徐々に変化していく。
【００５９】
検出範囲変更部３０は、まずばね力が比較的強い、すなわち復元力が比較的強い第２アーム部３０Ｇにより、第２支点部３０Ｆを支点として当該第２アーム部３０Ｇを上方向へ持ち上げ、当該第２アーム部３０Ｇを自然状態に復元させた後（図６（Ｃ））、ばね力が比較的弱い、すなわち復元力が比較的弱い第１アーム部３０Ｃにより、第１支点部３０Ｂを支点としてアーム部３０Ｒ全体を上方向へ持ち上げて、これによりレバー当接部３０Ｄを上方向へ持ち上げる（図６（Ｂ））。
【００６０】
このとき検出スイッチ１０は、レバー当接部３０Ｄが徐々に上方向へ持ち上げられることにより、当該検出スイッチ１０内部の接点ばね１４（図４（Ａ））の付勢力によって検出レバー１２が被押圧部３０Ｈと連動して徐々に上方向へ持ち上げられ、検出上限ａ（図４（Ｂ））よりも上方向へ持ち上げられた時点においてオン状態からオフ状態に切り替わる。
【００６１】
ここで図７（Ａ）に示すように、検出スイッチ１０の検出レバー１２を検出上限ａに位置させるときの検出範囲変更部３０（図中に実線で示す）と、図６（Ｄ）に示した全閉状態における検出範囲変更部３０（図中に破線で示す）とを比較すると、上下方向における被押圧部３０Ｈの移動距離（以下、これを調整後オン状態検出範囲と呼ぶ）が３．２［ｍｍ］となっており、検出スイッチ１０単体によるオン状態検出範囲である１．２［ｍｍ］（図４（Ｂ））を擬似的に約２．７倍に拡大したことになる。
【００６２】
このため携帯型ディスク装置２０は、図７（Ｂ）に示すように、本体部２とカバー部３との隙間が３．２［ｍｍ］以内であれば、開閉状態検出装置２１によって当該カバー部３が閉じた閉状態にあると検出することができる。
【００６３】
これにより携帯型ディスク装置２０は、例えば全閉状態において楽曲を再生中に外部からの力が加わる等して、本体部２とカバー部３との間に隙間が生じてしまったとしても、当該隙間が３．２［ｍｍ］以内であれば、開閉状態検出装置２１によって閉状態にあると検出し続けることができ、駆動モータや再生処理回路等への電源供給を遮断することがないので、楽曲の再生を停止せずに継続することができる。
【００６４】
（１−５）動作及び効果
以上の構成において、携帯型ディスク装置２０（図１）は、ディスクカートリッジ１００が装填されて本体部２に対してカバー部３が完全に閉じられた全閉状態において（図５（Ｄ））、ユーザからの操作指示に基づき、当該ディスクカートリッジ１００内のディスク状記録媒体に記録された楽曲を再生する。
【００６５】
このとき開閉状態検出装置２１は、押圧子８によって被押圧部３０Ｈが下方向へ押し下げられており、これと連動してレバー当接部３０Ｄによって検出スイッチ１０の検出レバー１２を検出上限ａよりも下側へ押し下げている（図６（Ｄ））。
【００６６】
これにより開閉状態検出装置２１は、検出スイッチ１０によりオン状態を検出しており、すなわち閉状態にあることを検出している。
【００６７】
ちなみに開閉状態検出装置２１は、検出範囲変更部３０のストッパ部３０Ｅを基板９に当接させることにより、レバー当接部３０Ｄによって検出レバー１２を下方向へこれ以上押し下げないように制限しており、その結果、検出スイッチ１０の破損を未然に防止することができる。
【００６８】
ここで、携帯型ディスク装置２０に対して外部からの力が加わる等して、本体部２とカバー部３との間に隙間が生じた場合（図５（Ｃ））、開閉状態検出装置２１は、カバー部３と連動して押圧子８が持ち上げられるため、まずばね力による復元力が比較的強い第２アーム部３０Ｇにより第２支点部３０Ｆを支点として当該第２アーム部３０Ｇを上方向へ持ち上げて、当該第２アーム部３０Ｇを自然状態に復元させる（図６（Ｃ））。
【００６９】
このとき開閉状態検出装置２１は、レバー当接部３０Ｄを含む第１アーム部３０Ｃを持ち上げないため、当該レバー当接部３０Ｄによって検出スイッチ１０の検出レバー１２を検出上限ａよりも下側へ押し下げた状態を維持する。
【００７０】
このため開閉状態検出装置２１は、本体部２とカバー部３との間に隙間が生じたにも関わらず、検出スイッチ１０の検出レバー１２を上方向へ持ち上げないことにより、当該検出スイッチ１０によってオン状態が継続されていると検出することができ、すなわちカバー部３が継続して閉状態にあると検出できる。
【００７１】
これに応じて携帯型ディスク装置２０は、駆動モータや再生処理回路等への電源供給を遮断せずに継続するため、楽曲の再生を停止することなく継続することができる。
【００７２】
そのうえ、携帯型ディスク装置２０に外部からの力がさらに加わることにより、本体部２とカバー部３との隙間がさらに広げられて図５（Ｂ）に示した開検出状態に近づけられた場合、当該カバー部３と連動して押圧子８がさらに持ち上げられる。
【００７３】
このとき開閉状態検出装置２１は、ばね力による復元力が比較的強い第２アーム部３０Ｇによって、第２支点部３０Ｆを支点として当該第２アーム部３０Ｇを既に自然状態に復元させているため、復元力が比較的弱い第１アーム部３０Ｃにより第１支点部３０Ｂを支点としてレバー当接部３０Ｄを含むアーム部３０Ｒを上方向へ持ち上げ、これにより図６（Ｂ）に示した開検出状態に近づけていく。
【００７４】
これと同時に開閉状態検出装置２１は、レバー当接部３０Ｄが上方向へ持ち上げられるため、検出スイッチ１０の検出レバー１２を徐々に上方向へ持ち上げていく。
【００７５】
ここで開閉状態検出装置２１は、本体部２とカバー部３との隙間が３．２［ｍｍ］以内であれば、検出レバー１２が検出上限ａ（図７（Ａ））よりも下方向へ押し下げられていることになるため、検出スイッチ１０がオン状態であることを検出し続けることができ、すなわちカバー部３が閉状態にあると検出し続けることができる。
【００７６】
このとき携帯型ディスク装置２０の開閉状態検出装置２１は、単体でのオン状態検出範囲が１．２［ｍｍ］である検出スイッチ１０に検出範囲変更部３０を組み合わせることによって、調整後オン状態検出範囲を３．２［ｍｍ］とすることができ（図７）、すなわちオン状態検出範囲を擬似的に拡大することができる。
【００７７】
ちなみに開閉状態検出装置２１は、本体部２とカバー部３との隙間が３．２［ｍｍ］より大きければ、検出レバー１２が検出上限ａ（図７（Ａ））よりも上方向へ持ち上げられていることになるため、検出スイッチ１０がオフ状態となったことを検出することができ、すなわちカバー部３が開状態となったことを検出することができる。
【００７８】
そのうえ携帯型ディスク装置２０は、検出スイッチ１０と検出範囲変更部３０とを組み合わせた簡易な構成によって、開閉状態検出装置２１を容易に実現することができる。
【００７９】
以上の構成によれば、携帯型ディスク装置２０は、検出範囲変更部３０及び検出スイッチ１０でなる開閉状態検出装置２１により、オン状態検出範囲を擬似的に拡大することができるので、楽曲データを再生中に本体部２とカバー部３との隙間が生じてしまったとしても、当該隙間が３．２［ｍｍ］以内であれば、当該検出スイッチ１０によりオン状態を検出し続けて当該開閉状態検出装置２１により閉状態を検出し続けることができるので、再生中の楽曲を停止して当該ユーザに不快感を与える可能性を極めて低く抑えることができる。
【００８０】
（２）第２の実施の形態
（２−１）携帯型ディスク装置の構成
図１との対応部分に同一符号を付した図８において、５０は第２の実施の形態による開閉状態検出装置５１を有する携帯型ディスク装置の全体構成を示しており、開閉状態検出装置２１（図１）に代えて開閉状態検出装置５１を有している以外は、第１の実施の形態における携帯型ディスク装置２０（図１）と同様の構成を有している。
【００８１】
（２−２）開閉状態検出部の構成
図２及び図３とそれぞれ対応する図９及び図１０に示すように、開閉状態検出装置５１は、検出範囲変更部６０及び検出スイッチ１０によって構成されている。
【００８２】
この検出範囲変更部６０は、第１の実施の形態における検出範囲変更部３０（図２及び図３）とは異なる形状を有し、金属製の略Ｙ字状の板状材料が長手方向に所定形状に折り曲げられることによって形成されており、当該検出範囲変更部６０を基板９に取付固定するための、幅方向に広がりを有する基板取付部６０Ａと、当該基板取付部６０Ａから突出したアーム部６０Ｒとを有している。
【００８３】
当該アーム部６０Ｒは、基幹部６０Ｔ、第１アーム部６０Ｃ及び第２アーム部６０Ｇに大きく分けられている。基幹部６０Ｔは、略半円弧状に湾曲した第１支点部６０Ｂを介して基板取付部６０Ａに対して回動されるようになされており、当該第１支点部６０Ｂの反対側には、第２支点部６０Ｆを介して第２アーム部６０Ｇが可撓されるようになされ、また当該基幹部６０Ｔから分岐した第１アーム部６０Ｃが当該基幹部６０Ｔと一体に構成されている。
【００８４】
第２アーム部６０Ｇは、第２支点部６０Ｆにおいて、基幹部６０Ｔに対して上向きとなる所定角度をなして折り曲げられている。また第２アーム部６０Ｇは、第２支点部６０Ｆの反対側の先端部に、上向き略半円弧状に形成されカバー部３の押圧子８（図８）に押圧される被押当部としての被押圧部６０Ｈを有している。
【００８５】
第１アーム部６０Ｃは、基幹部６０Ｔと一体に動くようになされており、当該基幹部６０Ｔの反対側には、下向きの略半円弧状に形成され検出スイッチ１０の検出レバー１２と当接するレバー当接部６０Ｄを有し、さらに当該レバー当接部６０Ｄの基幹部６０Ｔと反対側に、略垂直下方向に垂設され、下端部が基板９に当接し得るようになされた平板状のストッパ部６０Ｅを有している。
【００８６】
ここで検出範囲変更部６０は、第１支点部６０Ｂを支点として、基幹部６０Ｔと一体の第１アーム部６０Ｃ（以下、これを単に第１アーム部６０Ｃと呼ぶ）のばね力により基板取付部６０Ａに対してアーム部６０Ｒ全体を回動させ得、また第２支点部６０Ｆを支点として、第２アーム部６０Ｇのばね力により第１アーム部６０Ｃに対して当該第２アーム部６０Ｇを可撓させ得るようになされているが、上述したように、当該第１支点部６０Ｂのばね力よりも当該第２支持部６０Ｆのばね力が大きくなるようになされている。
【００８７】
このため検出範囲変更部６０は、カバー部３の押圧子８（図８）によって被押圧部６０Ｈが下方向へ押圧された場合、まずばね力が比較的弱い、すなわち比較的弱い力で回動させ得る第１アーム部６０Ｃにより、第１支点部６０Ｂを支点としてアーム部６０Ｒ全体を下方向へ大きく押し下げ、ストッパ部６０Ｅの下端部を基板９に当接させる。そして検出範囲変更部６０は、被押圧部６０Ｈがさらに下方向へ押圧された場合、当該ストッパ部６０Ｅの作用によりアーム部６０Ｒ全体を動かすことができないため、第２アーム部６０Ｇのばね力により第２支点部６０Ｆを支点として当該第２アーム部６０Ｇのみを下方向へ押し下げるようになされている。
【００８８】
そして、検出スイッチ１０は、スイッチ本体部１１が基板９上の所定位置に取付固定され、また検出範囲変更部６０は、第１アーム部６０Ｃが当該検出スイッチ１０の真上を覆うように当該基板９上の所定位置に基板取付部６０Ａが取付固定される。これにより開閉状態検出装置５１は、携帯型ディスク装置５０内の所定位置に設けられるようになされている（図８）。
【００８９】
（２−３）開閉状態検出部の状態変化
開閉状態検出装置５１（図９）は、開閉状態検出装置２１（図２）と同様に、カバー部３の押圧子８（図８）による被押圧部６０Ｈへの押圧状態に応じて検出スイッチ１０の検出レバー１２を下方向へ押し下げることにより、当該カバー部３が開状態であるのか、又は閉状態であるのかを検出するようになされている。以下では、携帯型ディスク装置５０が全開状態から全閉状態に至るまでの過程について、４段階に分けて順に説明する。
【００９０】
（２−３−１）全開状態
図５（Ａ）に示したように、携帯型ディスク装置５０の本体部２に対してカバー部３が完全に開いた全開状態において、開閉状態検出装置５１は、図１１（Ａ）に示すように、検出範囲変更部６０の被押圧部６０Ｈがカバー部３の押圧子８から完全に隔離した状態にある。
【００９１】
このとき検出範囲変更部６０は、他から力を加えられていない自然状態にあり、レバー当接部６０Ｄが検出スイッチ１０の検出レバー１２から完全に離れている。このため検出スイッチ１０は、検出レバー１２が可動範囲内の最も上方向を向いた状態にあり、すなわち当該検出レバー１２が検出上限ａ（破線で示す）よりも上側へ向けられているため、オフ状態を検出する。
【００９２】
これにより開閉状態検出装置５１は開状態であることを検出し、これに応じて携帯型ディスク装置５０は、駆動モータや再生処理回路等への電源供給を遮断した状態を維持している。
【００９３】
（２−３−２）開検出状態
図５（Ｂ）に示したように、携帯型ディスク装置５０の本体部２に対してカバー部３が全開状態から僅かに閉じられた状態において、開閉状態検出装置５１は、図１１（Ｂ）に示すように、押圧子８により被押圧部６０Ｈが下方向へ僅かに押し下げられている。
【００９４】
ここで検出範囲変更部６０は、押圧子８によって被押圧部６０Ｈが下方向へ僅かに押し下げられると、ばね力が比較的弱い第１アーム部６０Ｃにより、第１支点部６０Ｂを支点としてアーム部６０Ｒ全体を下方向へ押し下げ、このときレバー当接部６０Ｄによって検出スイッチ１０の検出レバー１２を下方向へ僅かに押し下げる。
【００９５】
このとき検出スイッチ１０は、検出レバー１２が僅かに下方向へ押し下げられているものの、当該検出レバー１２が検出上限ａ（破線で示す）よりも上側へ向けられているため、オフ状態を検出する。
【００９６】
これにより開閉状態検出装置５１はカバー部３が開状態であることを検出し、これに応じて携帯型ディスク装置５０は、全開状態（図５（Ａ））と同様に、駆動モータや再生処理回路等への電源供給を遮断し続ける。
【００９７】
（２−３−３）閉検出状態
図５（Ｃ）に示したように、携帯型ディスク装置５０の本体部２に対してカバー部３が全開状態からある程度閉じられて僅かに隙間が生じた状態において、開閉状態検出装置５１は、図１１（Ｃ）に示すように、押圧子８により被押圧部６０Ｈが下方向に押し下げられている。
【００９８】
検出範囲変更部６０は、押圧子８によって被押圧部６０Ｈが開検出状態（図１１（Ｂ））よりも下方向へ押し下げられているため、ばね力が比較的弱い第１アーム部６０Ｃにより第１支点部６０Ｂを支点としてアーム部６０Ｒ全体をさらに下方向へ押し下げ、レバー当接部６０Ｄによって検出スイッチ１０の検出レバー１２を下方向へ押し下げる。また検出範囲変更部６０は、ストッパ部６０Ｅを基板９に当接させている。
【００９９】
このとき検出スイッチ１０は、検出レバー１２が検出上限ａ（破線で示す）よりも下側へ押し下げられているため、オン状態を検出する。
【０１００】
これにより開閉状態検出装置５１は、カバー部３が僅かに開いているものの、閉状態であると検出する。これ応じて携帯型ディスク装置５０は、駆動モータや再生処理回路等への電源供給を開始する。
【０１０１】
ちなみに検出範囲変更部６０は、ストッパ部６０Ｅを基板９に当接させることにより、レバー当接部６０Ｄによってレバー１２を下方向へこれ以上押し下げないように制限しており、その結果、検出スイッチ１０の破損を未然に防止するようになされている。
【０１０２】
（２−３−４）全閉状態
図５（Ｄ）に示したように、携帯型ディスク装置５０の本体部２に対してカバー部３が完全に閉じた全閉状態において、開閉状態検出装置５１は、図１１（Ｄ）に示すように、押圧子８により被押圧部６０Ｈが下方向に押し下げられている。
【０１０３】
検出範囲変更部６０は、押圧子８によって被押圧部６０Ｈが閉検出状態（図１１（Ｃ））よりも下方向へ押し下げられているものの、ストッパ部６０Ｅが既に基板９に当接しているため、第１アーム部６０Ｃがこれ以上押し下げられることなく、ばね力が比較的強い第２アーム部６０Ｇにより第２支点部６０Ｆを支点として当該第２アーム部６０Ｇのみを下方向へ押し下げる。従って検出範囲変更部６０は、閉検出状態（図１１（Ｃ））と同様の、レバー当接部６０Ｄによって検出レバー１２を下方向へ押し下げた状態を維持している。
【０１０４】
このとき検出スイッチ１０は、閉検出状態（図１１（Ｃ））と同様に、検出レバー１２が検出上限ａ（破線で示す）よりも下側へ押し下げられているため、オン状態を検出する。
【０１０５】
これにより開閉状態検出装置５１は、カバー部３が閉状態であることを検出し、これに応じて携帯型ディスク装置５０は、駆動モータや再生処理回路等への電源供給を継続する。
【０１０６】
（２−４）閉状態の検出
ところで携帯型ディスク装置５０において、本体部２に対してカバー部３が全閉状態（図５（Ｄ））から徐々に開かれていった場合、開閉状態検出装置５１は、図１１（Ｄ）の全閉状態から図１１（Ｃ）の閉検出状態を経て図１１（Ｂ）の開検出状態へと徐々に変化していく。
【０１０７】
検出範囲変更部６０は、まずばね力が比較的強い、すなわち復元力が比較的強い第２アーム部６０Ｇにより、第２支点部６０Ｆを支点として当該第２アーム部６０Ｇを上方向へ持ち上げて自然状態に復元させた後（図１１（Ｃ））、ばね力が比較的弱い、すなわち復元力が比較的弱い第２アーム部６０Ｇにより、第１支点部６０Ｂを支点としてアーム部６０Ｒを上方向へ持ち上げ、これによりレバー当接部６０Ｄを上方向へ持ち上げる（図１１（Ｂ））。
【０１０８】
このとき検出スイッチ１０は、レバー当接部６０Ｄが徐々に上方向へ持ち上げられることにより、第１の実施の形態と同様に検出レバー１２が被押圧部６０Ｈと連動して徐々に上方向へ持ち上げられ、検出上限ａ（図４（Ｂ））よりも上方向へ持ち上げられた時点においてオン状態からオフ状態に切り替わる。
【０１０９】
ここで携帯型ディスク装置５０は、第１の実施の形態における携帯型ディスク装置２０（図７）と同様に、調整後オン状態検出範囲を３．２［ｍｍ］としており、本体部２とカバー部３との隙間が３．２［ｍｍ］以内であれば、開閉状態検出装置５１によって閉状態にあると検出し得るようになされている。
【０１１０】
これにより携帯型ディスク装置５０は、例えば全閉状態において楽曲を再生中に外部からの力が加わる等して、本体部２とカバー部３との間に隙間が生じてしまったとしても、第１の実施の形態における携帯型ディスク装置２０と同様に、当該隙間が３．２［ｍｍ］以内であれば、開閉状態検出装置２１によって閉状態にあることを検出し続けることができ、駆動モータや再生処理回路等への電源供給を遮断することがないので、楽曲の再生を停止せずに継続することができる。
【０１１１】
（２−５）動作及び効果
以上の構成において、携帯型ディスク装置５０（図８）は、ディスクカートリッジ１００が装填されて本体部２に対してカバー部３が完全に閉じられた全閉状態において（図５（Ｄ））、ユーザからの操作指示に基づき、当該ディスクカートリッジ１００内のディスク状記録媒体に記録された楽曲を再生する。
【０１１２】
このとき携帯型ディスク装置５０は、第１の実施の形態における携帯型ディスク装置２０と同様に、検出スイッチ１０によってオン状態にあると検出し（図１１（Ｄ））、閉状態にあることを検出している。
【０１１３】
ここで、携帯型ディスク装置５０に対して外部からの力が加わる等して、本体部２とカバー部３との間に隙間が生じた場合（図５（Ｃ））、第１の実施の形態における携帯型ディスク装置２０と同様に、開閉状態検出装置５１において、検出スイッチ１０の検出レバー１２を検出上限ａよりも下側へ押し下げた状態を維持する（図１１（Ｃ））。
【０１１４】
このため開閉状態検出装置５１は、本体部２とカバー部３との間に隙間が生じたにも関わらず、検出スイッチ１０によってオン状態が継続されていると検出することができ、すなわちカバー部３が継続して閉状態にあると検出できる。
【０１１５】
これに応じて携帯型ディスク装置５０は、駆動モータや再生処理回路等への電源供給を遮断せずに継続するため、楽曲の再生を停止することなく継続することができる。
【０１１６】
そのうえ、携帯型ディスク装置５０に外部からの力がさらに加わることにより、本体部２とカバー部３との間の隙間がさらに広げられて図５（Ｂ）に示した開検出状態に近づけられた場合、第１の実施の形態と同様に、開閉状態検出装置５１は、検出スイッチ１０の検出レバー１２を徐々に上方向へ持ち上げていく。
【０１１７】
ここで開閉状態検出装置５１は、本体部２とカバー部３との隙間が３．２［ｍｍ］以内であれば、第１の実施の形態における携帯型ディスク装置２０と同様に、オン状態であることを検出し続けることができ、すなわちカバー部３が閉状態にあると検出し続けることができる。
【０１１８】
このとき携帯型ディスク装置５０の開閉状態検出装置５１は、単体でのオン状態検出範囲が１．２［ｍｍ］である検出スイッチ１０に検出範囲変更部６０を組み合わせることによって、調整後オン状態検出範囲を３．２［ｍｍ］とすることができ、すなわちオン状態検出範囲を擬似的に拡大することができる。
【０１１９】
そのうえ携帯型ディスク装置５０は、検出スイッチ１０と検出範囲変更部６０とを組み合わせた簡易な構成によって、開閉状態検出装置５１を容易に実現することができる。
【０１２０】
以上の構成によれば、携帯型ディスク装置５０は、検出範囲変更部６０及び検出スイッチ１０でなる開閉状態検出装置５１により、オン状態検出範囲を擬似的に拡大することができるので、楽曲データを再生中に本体部２とカバー部３との間に隙間が生じてしまったとしても、上述した第１の実施の形態と同様に、当該隙間が３．２［ｍｍ］以内であれば、当該検出スイッチ１０によりオン状態を検出し続けて当該開閉状態検出装置５１により閉状態を検出し続けることができるので、再生中の楽曲を停止して当該ユーザに不快感を与える可能性を極めて低く抑えることができる。
【０１２１】
（３）他の実施の形態
なお上述の第１の実施の形態においては、略Ｔ字状の板状材料が長手方向に所定形状に折り曲げられた検出範囲変更部３０（図２）を用いるようにした場合について述べたが、本発明はこれに限らず、例えば図１２に示すような形状の検出範囲変更部７０等、他の種々の形状の検出範囲変更部を用いるようにしても良い。
【０１２２】
また上述した第１及び第２の実施の形態においては、回動する検出レバー１２を有する検出スイッチ１０を用いるようにした場合について述べたが、本発明はこれに限らず、例えば図１３に示すプッシュ式の検出スイッチ８０等、他の種々の形状の検出スイッチを用いるようにしても良い。
【０１２３】
さらに上述した第１及び第２の実施の形態においては、オン状態検出範囲が１．２［ｍｍ］の検出スイッチ１０単体に検出範囲変更部３０又は検出範囲変更部６０を組み合わせることにより、調整後オン状態検出範囲を約２．７倍の３．２［ｍｍ］とするようにした場合について述べたが、本発明はこれに限らず、第２アーム部３０Ｇ及び６０Ｇの長手方向の長さや第２支点部３０Ｆ及び６０Ｆに対する角度等を調整することにより、調整後オン状態検出範囲を３．２［ｍｍ］以外の所望の値とするようにしても良い。
【０１２４】
この場合、調整後オン状態検出範囲に合わせて検出スイッチの仕様を変更する必要が無く、設計変更や加工が容易な板状材料でなる検出範囲変更部３０及び６０を変更することによって、所望の調整後オン状態検出範囲を容易に得ることができる。
【０１２５】
さらに上述した第１及び第２の実施の形態においては、検出範囲変更部３０及び６０によって、調整後オン状態検出範囲（３．２［ｍｍ］）がオン状態検出範囲（１．２［ｍｍ］）よりも拡大されるようにした場合について述べたが、本発明はこれに限らず、調整後オン状態検出範囲がオン状態検出範囲よりも縮小されるようにしても良い。
【０１２６】
さらに上述した第１及び第２の実施の形態においては、オン状態検出範囲が１．２［ｍｍ］である検出スイッチ１０を用いるようにした場合について述べたが、本発明はこれに限らず、種々のオン状態検出範囲を有する検出スイッチを用いるようにしても良い。
【０１２７】
さらに上述した第１及び第２の実施の形態においては、金属製の板状材料によって検出範囲変更部３０及び６０を構成するようにした場合について述べたが、本発明はこれに限らず、例えば弾性を有する樹脂材料等の他の種々の材料によって検出範囲変更部３０及び６０を構成するようにしても良い。
【０１２８】
さらに上述の第１及び第２の実施の形態においては、第１筐体としての本体部２に開閉状態検出装置２１及び５１を設け、第２筐体としてのカバー部３に押圧子８を設けるようにした場合について述べたが、本発明はこれに限らず、例えば第１筐体としてのカバー部３に開閉状態検出装置２１及び５１を設け、第２筐体としての本体部２に押圧子８を設けるようにしても良い。
【０１２９】
さらに上述した第１及び第２の実施の形態においては、ミニディスク方式に対応しカバー部３の開閉状態を検出する電子機器としての携帯型ディスク装置２０及び５０に本発明を適用するようにした場合について述べたが、これに限らず、例えば開閉式の蓋部を有するＣＤ（Compact Disc）プレーヤや折りたたみ式の携帯電話機など、第１筐体と第２筐体との間に開閉機構を有し、その開き度合いに応じて開閉状態を検出する種々の電子機器に本発明を適用するようにしても良い。
【０１３０】
さらに上述の第１及び第２実施の形態においては、検出手段としての検出スイッチ１０と、検出子押下手段としての検出範囲変更部３０及び６０とによって開閉状態検出装置としての開閉状態検出装置２１及び５１を構成する場合について述べたが、本発明はこれに限らず、その他種々の回路構成でなる検出手段と、検出子押下手段とによって開閉状態検出装置を構成するようにしても良い。
【産業上の利用可能性】
【０１３１】
本発明は、開閉機構を有し、その開き度合いに応じて開閉状態を検出する種々の電子機器で利用できる。
【図面の簡単な説明】
【０１３２】
【図１】第１の実施の形態による開閉状態検出装置を有する携帯型ディスク装置の全体構成を示す略線的斜視図である。
【図２】第１の実施の形態による開閉状態検出装置の構成（１）を示す略線的斜視図である。
【図３】第１の実施の形態による開閉状態検出装置の構成（２）を示す平面図である。
【図４】検出スイッチの構成を示す略線図である。
【図５】携帯型ディスク装置の状態変化の説明に供する略線図である。
【図６】第１の実施の形態による開閉状態検出装置の状態変化の説明に供する略線図である。
【図７】第１の実施の形態による閉状態の検出範囲の説明に供する略線図である。
【図８】第２の実施の形態による開閉状態検出装置を有する携帯型ディスク装置の全体構成を示す略線的斜視図である。
【図９】第２の実施の形態による開閉状態検出装置の構成（１）を示す略線的斜視図である。
【図１０】第２の実施の形態による開閉状態検出装置の構成（２）を示す平面図である。
【図１１】第２の実施の形態による開閉状態検出装置の状態変化の説明に供する略線図である。
【図１２】他の実施の形態による検出範囲変更部の例を示す略線的斜視図である。
【図１３】他の実施の形態による検出スイッチの例を示す略線的斜視図である。
【図１４】従来の携帯型ディスク装置（１）を示す略線的斜視図である。
【図１５】従来の携帯型ディスク装置（２）を示す略線的斜視図である。
【図１６】従来の閉状態の検出範囲の説明に供する略線図である。
【符号の説明】
【０１３３】
１、２０、５０……携帯型ディスク装置、２……本体部、３……カバー部、８……押圧部、９……基板、１０、８０……検出スイッチ、１２……検出レバー、２１、５１……開閉状態検出装置、３０、６０、７０……検出範囲変更部、１００……ディスクカートリッジ、２００……乾電池ケース。
【図１】
2006053957.tif 000003
【図２】
2006053957.tif 000004
【図３】
2006053957.tif 000005
【図４】
2006053957.tif 000006
【図５】
2006053957.tif 000007
【図６】
2006053957.tif 000008
【図７】
2006053957.tif 000009
【図８】
2006053957.tif 000010
【図９】
2006053957.tif 000011
【図１０】
2006053957.tif 000012
【図１１】
2006053957.tif 000013
【図１２】
2006053957.tif 000014
【図１３】
2006053957.tif 000015
【図１４】
2006053957.tif 000016
【図１５】
2006053957.tif 000017
【図１６】
2006053957.tif 000018